(57)【要約】      （修正有）【課題】多量のインデックスであっても、用具がファイルに綴じられた紙に対してずれることを防止し、さらに、仮付けしたインデックスを容易に剥がすことができることにより、簡単、正確、且つ全体の並びを綺麗にしてインデックスを貼付けることができるインデックス貼付用定規を提供する。【解決手段】直交する長手部２と短手部３とを有し、長手部２には、長手方向に伸びる一列以上のインデックス貼付用目盛５が設けられ、目盛を構成する一列の目盛において、同じ大きさの長方形枠６が互いに接するように連続して設けられると共に、長方形枠６の長辺長さは貼付されるインデックスの幅長さ以上となるように設定され、目盛が設けられている部分における短手部３と反対側の長手方向端縁４ｃの高さに対し、長手部２の短手部３と反対側の長手方向端縁４ｂの高さが低く形成されていることを特徴とする。【選択図】図１
2019147324.tif 000002
【特許請求の範囲】
【請求項１】
長手部と短手部とを有し、
該短手部は該長手部の最上部に直交して直角部を形成しており、
該長手部には、長手方向に伸びる一列以上のインデックス貼付用目盛が該長手部の短手部側に設けられ、
該インデックス貼付用目盛を構成する一列の目盛において、同じ大きさの長方形枠が互いに接するように連続して設けられると共に、該長方形枠の長辺長さは貼付されるインデックスの幅長さ以上となるように設定され、
該インデックス貼付用目盛が設けられている部分における短手部と反対側の長手方向端縁の高さに対し、該長手部の短手部と反対側の長手方向端縁の高さが低く形成されていることを特徴とするインデックス貼付用直角定規。
【請求項２】
前記インデックス貼付用目盛において、前記インデックス貼付用目盛が設けられている部分における短手部と反対側の長手方向端縁から、該長手部の短手部側の長手方向端縁に向かって高さが低くなる傾斜面が形成されていることを特徴とする請求項１に記載のインデックス貼付用直角定規。
【請求項３】
前記インデックス貼付用目盛が２列以上設けられ、長方形枠の長辺長さが、それぞれ異なる種類のインデックスの幅長さに設定されると共に、隣り合う長方形枠の間には隙間が設けられ、
該インデックス貼付用目盛の各列の長方形枠ごとに引出線が設けられ、該引出線は、各々の長方形枠の短手部側の短辺を該長手部の短手部側の長手方向端縁まで延長したものであり、
該各列の長方形枠の内部及び引出線が同一色に着色されると共に、各列ごとに、長方形枠の内部及び引出線が異なる色に色分けされていることを特徴とする請求項１又は２に記載のインデックス貼付用直角定規。
【請求項４】
前記インデックス貼付用目盛が４列設けられていると共に、該各列が、その長方形枠の長さが長手部の内部に向かって順に長くなるように設けられていることを特徴とする請求項１〜３のいずれかに記載のインデックス貼付用直角定規。
【発明の詳細な説明】
【技術分野】
【０００１】
本発明は、索引用インデックスの貼付用直角定規に関し、詳しくは、多量の見出し用インデックスの貼付を正確且つ容易にするためのインデックス貼付用定規に関する。
【背景技術】
【０００２】
官公庁、学校、病院、各種施設等の工事を初めとする種々の業務を受任する業者は、必要書類をファイルに整理して綴じ提出することを要求される。その場合、項目、整理番号、年月日等の見出しをインデックスに付して、書類の端辺に順次ずらして貼付することが行われている。
【０００３】
このインデックスを互いに重なったり、離れ過ぎたりしないように、相互の間隔を均等にして貼る作業を正確且つ容易に行うことのできる用具として、特許文献１や特許文献２に開示されているものがある。
【先行技術文献】
【特許文献】
【０００４】
【特許文献１】実開平５−６５５９６号公報
【特許文献２】特開２００２−８６９９２号公報
【０００５】
特許文献１や特許文献２に開示されている用具は、インデックス相互の間隔を均等にして貼ること目的にして提案されたものである。
しかし、一件の書類をファイリングして、見出し用に貼るインデックスの枚数は２００枚を超えることも珍しくはない。この場合、特許文献１や特許文献２に開示されている用具には、用具がファイルに綴じられた書類に対してずれ易く、多量のインデックスを均等にして貼ることは煩雑であることを、本発明者は発見した。即ち、最初のころは、注意深く用具を用いることによりインデックス相互の間隔を均等にして貼ることはできても、作業が進むうちに用具が書類に対してずれ始めるので、インデックスを均等にして貼ることに注意を注ぐことはたいへんな作業であることを、本発明者は発見した。
【０００６】
さらに、特許文献１や特許文献２に開示されている用具には、インデックスを書類に本付けする前に、該用具に仮付けしたインデックスを剥がしにくく、剥がすのに手間がかかり、作業効率が悪いという問題があることを発見した。
【発明の概要】
【発明が解決しようとする課題】
【０００７】
本発明は、前記従来の用具（インデックス貼付用定規）の問題点を解決し、２００枚を超えるような多量のインデックスであっても、用具がファイルに綴じられた紙に対してずれることを防止し、さらに、仮付けしたインデックスを容易に剥がすことができることにより、簡単、正確、且つ全体の並びを綺麗にしてインデックスを貼付けることができるインデックス貼付用定規を提供することを課題とする。
【課題を解決するための手段】
【０００８】
本発明によれば、以下に示すンデックス貼付用直角定規が提供される。
［１］  長手部と短手部とを有し、
該短手部は該長手部の最上部に直交して直角部を形成しており、
該長手部には、長手方向に伸びる一列以上のインデックス貼付用目盛が該長手部の短手部側に設けられ、
該インデックス貼付用目盛を構成する一列の目盛において、同じ大きさの長方形枠が互いに接するように連続して設けられると共に、該長方形枠の長辺長さは貼付されるインデックスの幅長さ以上となるように設定され、
該インデックス貼付用目盛が設けられている部分における短手部と反対側の長手方向端縁の高さに対し、該長手部の短手部と反対側の長手方向端縁の高さが低く形成されていることを特徴とするインデックス貼付用直角定規
［２］前記インデックス貼付用目盛において、前記インデックス貼付用目盛が設けられている部分における短手部と反対側の長手方向端縁から、該長手部の短手部側の長手方向端縁に向かって高さが低くなる傾斜面が形成されていることを特徴とする請求項１に記載のインデックス貼付用直角定規。
［３］前記インデックス貼付用目盛が２列以上設けられ、長方形枠の長辺長さが、それぞれ異なる種類のインデックスの幅長さに設定されると共に、隣り合う長方形枠の間には隙間が設けられ、
該インデックス貼付用目盛の各列の長方形枠ごとに引出線が設けられ、該引出線は、各々の長方形枠の短手部側の短辺を該長手部の短手部側の長手方向端縁まで延長したものであり、
該各列の長方形枠の内部及び引出線が同一色に着色されると共に、各列ごとに、長方形枠の内部及び引出線が異なる色に色分けされていることを特徴とする前記１又は２に記載のインデックス貼付用直角定規。
［４］前記インデックス貼付用目盛が４列設けられていると共に、該各列が、その長方形枠の長さが長手部の内部に向かって順に長くなるように設けられていることを特徴とする前記！〜３のいずれかに記載のインデックス貼付用直角定規。
【発明の効果】
【０００９】
本発明のインデックス貼付用直角定規（以下、単に直角定規ともいう。）を用いれば、２００枚を超えるような多量のインデックスであっても、長手部と短手部が直角部そ形成しているので、該直角部を、書類の直角部に当接すれば、用具がファイルに綴じられた紙に対してずれることを防ぐことができ、ずれた場合であっても容易に修正できるので、簡単かつ正確に、更に、全体の並びを綺麗にしてインデックスを貼付けることができる。さらに、本発明の直角定規においては、インデックス貼付用目盛が設けられている部分における短手部と反対側の長手方向端縁の高さに対し、長手部の短手部と反対側の長手方向端縁の高さが低く形成されていることにより、直角定規に仮付けしたインデックスを容易に剥がすことができるので、直角定規の目盛部分へ仮付けしたインデックスを剥がして書類に本付けする作業を効率よく進めることができる。さらに、本発明の直角定規においては、インデックス貼付用目盛が設けられている部分における短手部と反対側の長手方向端縁から、長手部の短手部側の長手方向端縁に向かって高さが低くなる傾斜面を形成するという構成を採用することにより、直角定規に仮付けしたインデックスをさらに容易に剥がすことができる。
【図面の簡単な説明】
【００１０】
【図１】図１（ａ）は、本発明のインデックス貼付用直角定規の一実施形態を示す正面図である。図１（ｂ）は、インデックス貼付用目盛の拡大図である。
【図２】図２(ａ)は、本図１のＩ−Ｉ線に沿う、一実施形態を示す断面図であり、図２(ｂ)は、Ｉ−Ｉ線に沿う他の実施形態を示す断面図である。
【図３】図３は、インデックスの正面図である。
【図４】図４（ａ）は、インデックスがインデックス貼付用直角定規に仮付けされた状態の説明図である。図４（ｂ）は、ＩＩ−ＩＩ線に沿う断面図である。
【図５】図５は、インデックスが書類のリーフに本付けされる途中の状態の一例を示す説明図である。
【発明を実施するための形態】
【００１１】
以下、本発明のインデックス貼付用直角定規について図面を用いて詳細に説明する。但し、本発明は、これによって限定されるものではない。
図１は、本発明のインデックス貼付用直角定規（以下、単に直角定規ともいう。）の一実施形態を示す正面図であり、図２（ａ）は一実施形態を示すＩ−Ｉ線に沿う断面図であり、図２(ｂ)は他の実施形態を示すＩ−Ｉ線に沿う断面図である。図中、１は直角定規を、２は長手部を、３は短手部を、４ａは長手部における短手部側の長手方向端縁を、４ｂは長手部における短手部と反対側の長手方向端縁を、４ｃはインデックス貼付用目盛が設けられている部分における短手部と反対側の長手方向端縁を、５はインデックス貼付用目盛の総称を、５ａ、５ｂ、５ｃ、５ｄはインデックス貼付用目盛の各列を、６は長方形枠の総称を、６ａは列５ａに設けられている長方形枠を、６ｂは列５ｂに設けられている長方形枠を、６ｃは列５ｃに設けられている長方形枠を、６ｄは列５ｄに設けられている長方形枠を、７は引出線の総称を、７ｂは長方形枠６ｂの短手部側の短辺を延長して長手方向端縁４ａに向かって伸びる引出線を、7ｃは長方形枠６ｃの短手部側の短辺を延長して長手方向端縁４ａに向かって伸びる引出線を、7ｄは長方形枠６ｄの短手部側の短辺を延長して長手方向端縁４ａに向かって伸びる引出線を、９は傾斜面を、１１は長方形枠６の間の隙間を、１２は長方形枠の短辺の総称を、１２ａは長方形枠６ａの短手部側の短辺を、１２ｂは長方形枠６ｂの短手部側の短辺を、１２ｃ長方形枠６ｃの短手部側の短辺を、１２ｄは長方形枠６ｄの短手部側の短辺をそれぞれ示す。
【００１２】
直角定規１は、合成樹脂やスティール等で作製した厚さの薄い、板体であって、インデックスを容易に仮付けすることができると共に容易に剥がすことができる材料で形成されている。直角定規１は、長手部２と短手部３とを有し、図１に示すように、短手部３は長手部２の最上部に直交して直角部を形成している。通常、長手部２は縦長長方形であり、短手部３は長方形である。
【００１３】
長手部と短手部が直交して直角部を形成しているので、直角部の内側を書類の角に当接させれば、書類に対して直角定規がずれることが防止され、ずれた場合であっても簡単に修正できるので、２００枚を超えるインデックスであっても、均等に貼ることができる。
【００１４】
また、長手部には、長手方向に伸びるインデックス貼付用目盛５が設けられ、インデックス貼付用目盛５は１列以上設けられている（図１）。インデックス貼付用目盛５を２列以上設ければ、一の直角定規を異なる種類のインデックスの貼付に用いることができる。
【００１５】
さらに、インデックス貼付用目盛５の一列において、図１に示すように、同じ大きさの長方形枠が互いに接するように連続して設けられると共に、該長方形枠の長辺長さは貼付を所望するインデックスの幅長さ以上となるように設定されている。長方形枠は、インデックスを貼る位置を明瞭に示しているので、その中に、同じ規格のインデックスを、一方の貼付代が長手部の短手部側の長手方向端縁から突出するように、長方形枠の上に仮付けする作業を、長方形枠ごとに連続して行い、次に、直角部分の内側を、書類の角に当接させて、インデックス貼付用目盛に仮付けされているインデックスを順に書類のリーフに本付けする作業を繰り返すことにより、多量のインデックスを効率よく、書類に均等に貼ることができる。
【００１６】
また、図１、図２(ａ)（ｂ）に示すように、インデックス貼付用目盛が設けられている部分における短手部と反対側の長手方向端縁４ｃの高さに対し、長手部の短手部と反対側の長手方向端縁４ｂの高さが低く形成されている。長手方向端縁４ｂが低く形成されていることにより、インデックスを直角定規に仮付けする際に、図４（ｂ）に示すように、インデックス２１の目盛５から外れて突出した部分は、直角定規に貼り付けられることなく、宙に浮いた状態になっている。従って、インデックス２１を目盛５から剥がす際に、宙に浮いた部分を掴んで斜め上方に引張れば、インデックス２１を容易に目盛５から剥がすことができる。
【００１７】
長手方向端縁４ｃの高さに対し、長手方向端縁４ｂの高さが低く形成されているという具体的な形状としては、目盛５から外れて突出したインデックス２１の貼付代２２ｂが宙に浮いた状態にさえなっていれば、その形状に制限はないが、通常は、図２（ａ）に示すような階段状か、図２（ｂ）に示すような、長手方向端縁４ｃから長手方向端縁４ｂに向かって厚みが薄くなっている傾斜状にすることが、製造が容易で使い易いので、好ましい。
【００１８】
なお、長手方向端縁４ｃの高さに対し、長手方向端縁４ｂの高さが低く形成されている部分の長手方向には、通常のｍｍ単位の長さ目盛１３が振られていることが好ましい。そうすれば、本発明の直角定規を通常の物差しとして使用することができる。また、イレギュラーなサイズのインデックスの貼付に対応することもできる。
【００１９】
さらに、インデックス貼付用目盛５において、目盛５が設けられている部分における短手部と反対側の長手方向端縁４ｃから、長手部の短手部側の長手方向端縁４ａに向かって高さが低くなる傾斜面９が形成されていることが好ましい。この傾斜面９が設けられていると、直角定規に仮付けしたインデックスを更に容易に剥がすことができる。但し、インデックス貼付用目盛５が設けられている部分は、等しい高さの平坦な形状にすることもできる。
【００２０】
次に、インデックス貼付用目盛５について、好ましい例として、４列（５ａ、５ｂ、５ｃ、５ｄ）の目盛５が設けられた場合について説明する。
図１に示す態様のインデックス貼付用目盛５においては、インデックス貼付用目盛５の各列（５ａ、５ｂ、５ｃ、５ｄ）において、図１に示すように、同じ大きさの長方形枠６（６ａ、６ｂ、６ｃ、６ｄ）が互いに接するように連続して設けられている。長方形枠６の長辺長さは、それぞれ異なる種類のインデックスの幅長さに設定されている。
【００２１】
各長方形枠６は、インデックスを貼る位置を明瞭に示しているので、その中に、所望する規格のインデックスを、図４（ｂ）に示すように、一方の貼付代が長手部の短手部側の長手方向端縁から突出するように、長方形枠の上に仮付けする作業を、長方形枠６ごとに連続して行い、次に、直角部分の内側を、書類の角に当接させて、インデックス貼付用目盛に仮付けされているインデックス２１を順に書類のリーフに順に本付けする作業を繰り返すことにより、多量のインデックスを効率よく、書類に均等に貼ることができる。
【００２２】
また、長方形枠の長辺長さは、列ごとに異なる長さに設定されているので、一の直角定規により、異なる大きさのインデックスを効率よく、書類に均等に貼ることができる。
また、隣り合う長方形枠６の間には隙間１１が設けられている。従って、隣合って本付けされたインデックスの間には、隙間１１と同じ間隔を設けて貼り付けることができる。
但し、隙間を設けることなく、長方形枠６と隙間１１をあわせた長方形枠とすることができる。
【００２３】
また、インデックス貼付用目盛５の各列５（５ａ、５ｂ、５ｃ、５ｄ）の長方形枠６ごとに引出線７が設けられている。引出線７（７ｂ、７ｃ、７ｄ）は、各列５（５ａ、５ｂ、５ｃ、５ｄ）の各々の長方形枠の短手部側の短辺１２（１２ｂ、１２ｃ、１２ｄ）を長手部の短手部側の長手方向端縁４ａまで直線状に延長したものであり、長方形枠６の短辺（１２ａ、１２ｂ、１２ｃ、１２ｄ）と直線的に繋がっていると共に、長手部の短手部側の長手方向端縁４ａと直交している。それぞれの引出線７が、それぞれの長方形枠の短辺１２と直線的に繋がっていると、インデックスをどの長方形枠の上に仮付けすればよいかより明瞭にわかるので、インデックスを仮付けする作業を更に効率よく行うことができる。また、一定間隔での本付けを容易に行うことができる。
なお、通常、列５ａについては、その短手部側の長辺と短手部側の長手方向端縁４ａが共通しているので、引出線７は設けられていない。
【００２４】
さらに、各列の長方形枠６の内部及び引出線７は同一色に着色されると共に、各列（５ａ、５ｂ、５ｃ、５ｄ）ごとに、長方形枠５の内部及び引出線７（７ｂ、７ｃ、７ｄ）が異なる色に色分けされていることにより、インデックスを長方形枠５の上に仮付けする位置がより明瞭にわかるので、インデックスを仮付けする作業をより効率よく行うことができる。
【００２５】
インデックス貼付用目盛は４列設けられていることが好ましい。汎用されているインデックスが４種類あるので、長方形枠の長辺長さを、４種類のインデックスの長さに対応して設定することにより、一の直角定規を用いて、汎用されている４種類のインデックスを効率よく、書類に均等に貼ることができる。
【００２６】
また、各列５（５ａ、５ｂ、５ｃ、５ｄ）は、その長方形枠６（６ａ、６ｂ、６ｃ、６ｄ）の長さが長手部２の内部に向かって順に長くなるように設けられていることが好ましい。このようになっていると、貼付を所望するインデックスをどの長方形枠６の中に仮付けすればよいか、判り易くなる。  
【００２７】
次に、本発明の直角定規を使用して、ファイルに綴じられた書類にインデックスを貼付する方法について、図３、図４、図５を用いて説明する。
図３はインデックスの正面図、図４(ａ)はインデックスが直角定規に仮付けされた状態の説明図、図４(ｂ)はその側面図、図５はインデックスが書類のリーフに本付けされる途中の状態の一例を示す説明図である。図中、２１はインデックスを、２２ａは一方の貼付代を、２２ｂは他方の貼付代を、２３は折り線を、２４はリーフをそれぞれ示す。他の符号については、前記した図１、図２と同様である。
【００２８】
本発明の直角定規を使用するに際しては、貼付しようとする規格のインデックス２１（図３）を、図４（ａ）に示すように、一方の貼付代２２ａが長手部２の短手部３側の長手方向端縁４ａから突出するように、長方形枠６の上に仮付けする作業を、隣り合う長方形枠６ごとに連続して行なう。次に直角定規１を、その直角部分の内側を書類の右上の直角部分に当接させて、列５の最上部に位置するインデックス２１ａの一方の貼付代２２ａを最上面に現れている書類のリーフに本付けし、インデックス２１の目盛５からはみ出して宙に浮いている貼付代２２ｂを掴んで、斜め上方に引張って、インデックス２１ａを長手部２から剥がし、次に、図５に示すように、折り線２３に沿ってインデックスの半分同士が互いに重なるように折り曲げて、該半分同士を貼り付けて本付けを完了する。次にインデックスを貼付するリーフが最上面に現れるように書類を捲り、残るインデックスのうちの列の最上部に位置するインデックス２１ｂを前記インデックス２１ａと同様にリーフに本付けする。この作業を繰り返すことにより、インデックスを書類に簡単かつ正確に、更に、全体の並びを綺麗にして貼付けることができる。
【実施例１】
【００２９】
合成樹脂を用いて、図１に示すように、長方形の短手部３が縦長長方形長手部２の最上部に直交して直角部を形成した直角定規（厚み２ｍｍ）を作製した。長手部２は、長さ３１０ｍｍ、幅３５ｍｍの長方形であり、短手部は、長さ２０ｍｍ、幅１０ｍｍの長方形である。これらの寸法は、Ａ４版のファイルに綴じられた書類にインデックスを貼ることを想定したものである。但し、本発明の直角定規の寸法は、これに限定されるものではない。
【００３０】
長手部２には、長手方向に伸びるインデックス貼付用目盛５を設けた。インデックス貼付用目盛５は、４列（５ａ、５ｂ、５ｃ、５ｄ）設けた。各インデックス貼付用目盛の列５ａ、５ｂ、５ｃ、５ｄの幅（該幅は、長方形枠６ａ、６ｂ、６ｃ、６ｄの幅でもある）は５ｍｍに設定した。目盛５全体の幅は２０ｍｍである。
【００３１】
図１におけるインデックス貼付用目盛５ａにおいては、長方形枠６ａの長辺の長さは１８ｍｍであり、長方形枠６ｂの長辺の長さは２２ｍｍであり、長方形枠６ｃの長辺の長さは２７ｍｍであり、長方形枠６ｄの長辺の長さは４２ｍｍであり、これらはそれぞれ、幅１８ｍｍ×長さ２５ｍｍ、幅２２ｍｍ×長さ２９ｍｍ、幅２７ｍｍ×長さ３４ｍｍ、幅４２ｍｍ×長さ３４ｍｍの４種類の汎用インデックスを、枠の中に仮付けできるように定められたものである。
【００３２】
隣合う長方形枠６の間には長さ３ｍｍの隙間１１を設けた。この隙間の長さが、リーフに本付けされたインデックス間の距離となる。
【００３３】
長方形枠６の長辺の長さが最も短い貼付用目盛５ａの短手部側の長辺（１列目の長方形枠の長辺）は、長手部２の短手部側の長手方向端縁４ａと一致しており、長手部の内部に向かうほど長方形枠６の長辺の長さが大きくなるように、インデックス貼付用目盛５を設けた。
【００３４】
インデックス貼付用目盛の各列５ｂ、５ｃ、５ｄごとに、各長方形枠６の短手部側の短短辺１２（１２ｂ、１２ｃ、１２ｄ）を長手部２の短手部側の端縁４ａまで直線状に伸ばすことにより、引出線７を設けた。具体的には、図１の例においては、列５ｂの短手部側の短辺１２ｂからは、引出線７ｂが長手方向端縁４ａに向かって伸び、列５ｃの短手部側の短辺１２ｃからは、引出線７ｃが長手方向端縁４ａに向かって伸び、列５ｄの短手部側の短辺１２ｄからは、引出線７ｄが長手方向端縁４ａに向かって伸びている。引出線７を目印として、長方形枠６に仮付けされたインデックスを書類に本付けする作業を効率よく連続して行うことができる。
【００３５】
前記した各列の長方形枠６の内部及び引出線７は同一色に着色すると共に、各列５ａ、５ｂ、５ｃ、５ｄごとに、長方形枠６の内部及び引出線７を異なる色に色分けした。具体的には、列５ａの長方形枠６ａの内部及び引出線７ａは赤色に、列５ｂの長方形枠６ｂの内部及び引出線７ｂは青色に、列５ｃの長方形枠６ｃの内部及び引出線７ｃは黄色に、列５ｄの長方形枠６ｄの内部及び引出線７ｄは緑色に着色した。このように、各列が色分けされていると、４列のインデックス貼付用目盛の中から、書類に貼付しようとするインデックスに適したインデックス貼付用目盛を間違うことなく選んで、多量のインデックスを長方形枠６に仮付けすることができる。
【００３６】
目盛５が設けられている部分における短手部と反対側の長手方向端縁４ｃの高さ（厚さ）を３ｍｍとし、長手方向端縁４ｃと長手部における短手部と反対側の長手方向端縁４ｂとの間の高さ（厚み）を１．５ｍｍとし、目盛５が設けられている部分と目盛５が設けられていない部分との間（幅１５ｍｍ）に段差を設けた。この段差により、図４（ｂ）に示すように、目盛５の部分に仮付けされたインデックス２１の目盛５からはみ出した部分（他方の貼付代２２ｂ）が宙に浮いた状態となるので、インデックス２１を容易に剥がすことができる。
【００３７】
目盛５が設けられていない部分の長手方向に、通常のｍｍ単位の長さ目盛１３を振った。これにより、本発明の直角定規を物差しとして使用することができ、イレギュラーなサイズのインデックスの貼付に使用することもできる。
【００３８】
さらに、長手部の短手部側の長手方向端縁４ａの高さ（厚み）を１ｍｍとし、高さ（厚み）３ｍｍの長手方向端縁ｃから、長手部の短手部側の長手方向端縁４ａに向かって高さが低くなる傾斜面９を形成した。この傾斜面９を設けたことにより、目盛５に仮付けしたインデックスを更に容易に剥がすことができる。
【符号の説明】
【００３９】
１    直角定規
２    長手部
３    短手部
４ａ  長手部における短手部側の長手方向端縁
４ｂ  長手部における短手部と反対側の長手方向端縁
４ｃ  インデックス貼付用目盛が設けられている部分における短手部と反対側の長手方向端縁
５    インデックス貼付用目盛の総称
５ａ、５ｂ、５ｃ、５ｄ  インデックス貼付用目盛の各列
６    長方形枠の総称
６ａ  列５ａに設けられている長方形枠
６ｂ  列５ｂに設けられている長方形枠
６ｃ  列５ｃに設けられている長方形枠
６ｄ  列５ｄに設けられている長方形枠
７    引出線の総称
７ｂ  長方形枠６ｂの短手部側の長辺から長手方向端縁４ａに向かって伸びる引出線
７ｃ  長方形枠６ｃの短手部側の長辺から長手方向端縁４ａに向かって伸びる引出線
９    傾斜面
１１  長方形枠６の間の隙間
１２  長方形枠の短辺の総称
１２ａ  長方形枠６ａの短手部側の短辺
１２ｂ  長方形枠６ｂの短手部側の短辺
１２ｃ  長方形枠６ｃの短手部側の短辺
１２ｄ  長方形枠６ｄの短手部側の短辺
１３    通常の長さ目盛
２１    インデックスの総称
２１ａ、２１ｂ  インデックス
２２ａ  一方の貼付代
２２ｂ  他方の貼付代
２３    折り線
２４  リーフ
【図１】
2019147324.tif 000003
【図２】
2019147324.tif 000004
【図３】
2019147324.tif 000005
【図４】
2019147324.tif 000006
【図５】
2019147324.tif 000007